(57)【要約】【課題】  輝度ムラの発生を防止しつつ高輝度を達成することができるプロジェクタシステムを提供すること。【解決手段】  制御装置３０は、外部からの画像信号をそのまま第１プロジェクタ１０に出力するとともに、外部からの画像信号に対して輝度ムラ相殺信号を合成した画像信号を第２プロジェクタ２０に出力する。これにより、第１プロジェクタ１０からの主画像と、第２プロジェクタ２０からの副画像とが互いに合成されてスクリーンＳＣ上に投射される。この結果、主画像の輝度ムラが副画像によって相殺され、さらに、主画像と副画像との合成によって高輝度の画像を投射することができる。【選択図】  図１
2005167680.tif 000002
【特許請求の範囲】
【請求項１】
主画像を投射する第１プロジェクタと、
前記主画像に対応する副画像を前記主画像に重ね合わせて投射する第２プロジェクタと、
前記第１プロジェクタによって投射される前記主画像に生じる第１の輝度ムラを、前記第２プロジェクタに投射させるべき前記副画像に強制的に第２の輝度ムラを形成することによって打ち消すムラ補正手段と
を備えることを特徴とするプロジェクタシステム。
【請求項２】
前記第１及び第２プロジェクタは、ともにカラー画像を投射することを特徴とする請求項１記載のプロジェクタシステム。
【請求項３】
前記ムラ補正手段は、前記主画像を計測することによって得た当該主画像の輝度ムラに関するデータを記憶する記憶手段と、当該記憶手段に記憶したデータに基づいて得た輝度ムラ相殺信号を前記副画像に対応する画像信号に対して合成する信号処理手段とをさらに備えることを特徴とする請求項１及び請求項２のいずれか一項記載のプロジェクタシステム。
【請求項４】
所定のカラー画像信号に基づいてカラーの主画像を投射する第１プロジェクタと、
前記所定のカラー画像信号のうち特定色の画像信号に対応する特定色の副画像を前記主画像に重ね合わせて投射する第２プロジェクタと
を備えることを特徴とするプロジェクタシステム。
【請求項５】
前記第１プロジェクタは、前記主画像に対応するパターンが形成される光変調装置と、当該光変調装置を照明するための照明光源とを有し、前記特定色は、前記照明光源において相対的に輝度の低い色であることを特徴とする請求項４記載のプロジェクタシステム。
【請求項６】
前記特定色は、ＲＧＢのうちのＧ色又はＲ色であることを特徴とする請求項５記載のプロジェクタシステム。
【請求項７】
所定のカラー画像信号に基づいて、複数の色からなる主画像を投射する第１プロジェクタと、
前記所定のカラー画像信号に基づいて、前記複数の色とは異なる所定色の副画像を前記主画像に重ね合わせて投射する第２プロジェクタと
を備えることを特徴とするプロジェクタシステム。
【請求項８】
前記第１プロジェクタは、前記主画像としてＲＧＢの３原色からなるカラー画像を投射し、前記第２プロジェクタは、前記副画像として、シアン、及びアンバーの少なくとも１つを含む色からなる画像を投射することを特徴とする請求項７記載のプロジェクタシステム。
【請求項９】
前記所定のカラー画像信号から、前記第１プロジェクタを動作させるための第１画像信号と、前記第２プロジェクタを動作させるための第２画像信号とを生成する制御手段をさらに備えることを特徴とする請求項８記載のプロジェクタシステム。
【発明の詳細な説明】
【技術分野】
【０００１】
本発明は、液晶パネル等の表示装置を用いて画像を投射するためのプロジェクタシステムに関する。
【背景技術】
【０００２】
従来のプロジェクタとして、ＲＧＢ用の３つのＣＲＴと、各ＣＲＴの正面に配置された３つの投射レンズとを備え、各ＣＲＴの像をスクリーン上に重ね合わせて投射するカラープロジェクタが存在する（特許文献１参照）。
【０００３】
また、別のプロジェクタとして、同一の画像を投射する同一の投射装置と、投射像の合成用のミラーとを備え、各投射装置からの映像をミラーで反射して単一のスクリーン上で一画像に合成する背面投射型のプロジェクタが存在する（特許文献２参照）。
【特許文献１】特開２０００−１８０９５４号公報
【特許文献２】特開平８−３３４７２９号公報
【発明の開示】
【発明が解決しようとする課題】
【０００４】
しかし、上記のようなプロジェクタでは、ＣＲＴ、液晶パネル等の光学要素の特性に起因して投射画像中に輝度ムラが発生する場合がある。
【０００５】
また、上記のようなプロジェクタでは、ＲＧＢの３原色の画像を投射するが、ＲＧＢの３原色のみでは色彩の表現が不十分となる場合がある。
【０００６】
また、液晶パネル等を用いたカラープロジェクタにおいて、白色光源を用いて液晶パネル等を照明する場合、白色光源の波長特性に起因してＲＧＢの３原色の輝度バランスが崩れる場合がある。
【０００７】
そこで、本発明は、輝度ムラの発生を防止しつつ高輝度を達成することができるプロジェクタシステムを提供することを目的とする。
【０００８】
また、本発明は、色彩表現を豊かにしつつ高輝度を達成することができるプロジェクタシステムを提供することを目的とする。
【０００９】
また、本発明は、カラーバランスを保ちつつ高輝度を達成することができるプロジェクタシステムを提供することを目的とする。
【課題を解決するための手段】
【００１０】
上記課題を解決するため、本発明に係る第１のプロジェクタシステムは、（ａ）主画像を投射する第１プロジェクタと、（ｂ）主画像に対応する副画像を主画像に重ね合わせて投射する第２プロジェクタと、（ｃ）第１プロジェクタによって投射される主画像に生じる第１の輝度ムラを、第２プロジェクタに投射させるべき副画像に強制的に第２の輝度ムラを形成することによって打ち消すムラ補正手段とを備える。
【００１１】
上記第１のプロジェクタシステムでは、ムラ補正手段が、副画像に強制的に第２の輝度ムラを形成することによって、主画像に生じる第１の輝度ムラを修正するので、第１プロジェクタの投射像である主画像の全体輝度を減少させることなく、主画像の輝度ムラを副画像の人為的な輝度ムラによって相殺することができる。さらに、主画像に対し第２プロジェクタによって副画像を重ね合わせるので、主画像と副画像との加算によって高輝度の画像を投射することができる。
【００１２】
また、本発明の具体的態様では、上記第１のプロジェクタシステムにおいて、第１及び第２プロジェクタが、ともにカラー画像を投射する。この場合、高輝度のカラー画像を投射することができる。
【００１３】
また、本発明の別の具体的態様では、上記第１のプロジェクタシステムにおいて、ムラ補正手段が、主画像を計測することによって得た当該主画像の輝度ムラに関するデータを記憶する記憶手段と、当該記憶手段に記憶したデータに基づいて得た輝度ムラ相殺信号を副画像に対応する画像信号に対して合成する信号処理手段とをさらに備える。この場合、実測に基づく第１プロジェクタの輝度ムラを第２プロジェクタにフィードバックして第２プロジェクタ側で補正することができる。
【００１４】
また、本発明に係る第２のプロジェクタシステムは、（ａ）所定のカラー画像信号に基づいてカラーの主画像を投射する第１プロジェクタと、（ｂ）所定のカラー画像信号のうち特定色の画像信号に対応する特定色の副画像を主画像に重ね合わせて投射する第２プロジェクタとを備える。
【００１５】
上記第２のプロジェクタシステムでは、第２プロジェクタが所定のカラー画像信号のうち特定色の画像信号に対応する特定色の副画像を主画像に重ね合わせて投射するので、第１プロジェクタの投射像である主画像において輝度不足の色彩を副画像によって補うことができ、全体としての投射像のカラーバランスを本来の状態（自然なバランス）に近づけることができる。さらに、主画像に対し第２プロジェクタによって副画像を重ね合わせるので、主画像と副画像との加算によって高輝度の画像を投射することができる。
【００１６】
また、本発明の具体的態様では、上記第２のプロジェクタシステムにおいて、第１プロジェクタが、主画像に対応するパターンが形成される光変調装置と、当該光変調装置を照明するための照明光源とを有し、特定色が、照明光源において相対的に輝度の低い色である。この場合、照明光源の特性を補って所望のカラーバランスを達成することができ、第１プロジェクタ用に採用することができる照明光源の種類の自由度を高めることができる。
【００１７】
また、本発明の具体的態様では、上記第２のプロジェクタシステムにおいて、特定色がＲＧＢのうちのＧ色又はＲ色である。この場合、高圧水銀ランプ等のようにＧ光やＲ光が比較的弱い白色光源を組み込んだ場合にも自然なカラーバランスの画像を投射することができる。
【００１８】
また、本発明に係る第３のプロジェクタシステムは、（ａ）所定のカラー画像信号に基づいて、複数の色からなる主画像を投射する第１プロジェクタと、（ｂ）所定のカラー画像信号に基づいて、上記複数の色とは異なる所定色の副画像を主画像に重ね合わせて投射する第２プロジェクタとを備える。
【００１９】
上記第３のプロジェクタシステムでは、第２プロジェクタが所定のカラー画像信号に基づいて複数の色とは異なる所定色の副画像を主画像に重ね合わせて投射するので、豊かな色彩表現を達成することができる。さらに、主画像に対し第２プロジェクタによって副画像を重ね合わせるので、主画像と副画像との加算によって高輝度の画像を投射することができる。
【００２０】
また、本発明の具体的態様では、上記第３のプロジェクタシステムにおいて、第１プロジェクタが、主画像としてＲＧＢの３原色からなるカラー画像を投射し、第２プロジェクタが、副画像として、シアン及びアンバーの少なくとも１つを含む色からなる画像を投射する。これによって、豊かな色彩表現を達成することができる。
【００２１】
本発明の具体的態様では、上記第３のプロジェクタシステムにおいて、所定のカラー画像信号から、第１プロジェクタを動作させるための第１画像信号と、第２プロジェクタを動作させるための第２画像信号とを生成する制御手段をさらに備える。この場合、３原色に対応するカラー画像信号から第１及び第２プロジェクタの駆動に適する４色以上のカラー画像信号を生成することができる。
【発明を実施するための最良の形態】
【００２２】
〔第１実施形態〕
以下、本発明の第１実施形態に係るプロジェクタシステムの構造について図面を参照しつつ説明する。
【００２３】
図１は、本実施形態のプロジェクタシステムを説明する図である。このプロジェクタシステム２は、主画像をスクリーンＳＣ上に投射する第１プロジェクタ１０と、副画像を主画像に重ね合わせてスクリーンＳＣ上に投射する第２プロジェクタ２０と、両プロジェクタ１０，２０に画像信号を出力する制御装置３０とを備える。なお、両プロジェクタ１０，２０によってスクリーンＳＣ上にそれぞれ投射される主画像及び副画像は、互いに対応する画像となっており、両プロジェクタ１０，２０の姿勢等の調整によってスクリーンＳＣ上で互いに正確にアライメントされている。
【００２４】
第１プロジェクタ１０は、スクリーンＳＣ上に基本となる主画像を形成するためのものであり、白色の光源光を発生する光源装置１１と、光源装置１１から射出された光源光によって照明される光変調装置1３と、光変調装置1３からの各色の像光をスクリーンＳＣに投射するための投射光学系である投射レンズ１５と、光源装置１１、光変調装置1３等の動作を制御する制御回路部１７とを備える。ここで、光源装置１１は、高圧水銀ランプ等の白色ランプ、集光用のミラー、光源光を均一化するためのフライアイ光学系等からなる。また、光変調装置1３は、例えばカラータイプの透過型液晶ライトバルブからなり、これに入射した白色の光源光を駆動信号に応じて２次元空間的に変調してカラー画像を形成する。投射レンズ１５は、光変調装置1３の画像領域の像を所望の拡大率でスクリーンＳＣ上に投射する。制御回路部１７は、制御装置３０から受けた画像信号に基づいて光変調装置1３を駆動するための駆動信号を生成する。
【００２５】
第２プロジェクタ２０は、スクリーンＳＣ上に補助的な副画像を形成するためのものであり、白色の光源光を発生する光源装置２１と、光源装置２１から射出された光源光によって照明される透過型の光変調装置である光変調装置２３と、光変調装置２３からの各色の像光をスクリーンＳＣに投射するための投射光学系である投射レンズ２５と、光源装置２１、光変調装置２３等の動作を制御する制御回路部２７とを備える。第２プロジェクタ２０は、上記第１プロジェクタ１０とほぼ同一の構造を有する。つまり、光源装置２１は、高圧水銀ランプ等の白色ランプ、集光用のミラー、光源光を均一化するためのフライアイ光学系等からなる。また、光変調装置２３は、例えばカラータイプの液晶ライトバルブからなり、これに入射した白色の光源光を駆動信号に応じて２次元空間的に変調してカラー画像を形成する。投射レンズ２５は、光変調装置２３の画像領域の像を主画像と副画像とが重なるような拡大率でスクリーンＳＣ上に投射する。制御回路部２７は、制御装置３０から受けた画像信号に基づいて光変調装置２３を駆動するための駆動信号を生成する。
【００２６】
制御装置３０は、第１プロジェクタ１０による主画像の輝度ムラデータを記憶する記憶手段であるメモリ３１と、メモリ３１に記憶した輝度ムラデータに基づいて第２プロジェクタ２０用の画像信号を生成する信号処理手段である画像処理回路３３とを備える。前者のメモリ３１は、第１プロジェクタ１０が投射する主画像を計測することによって得た輝度ムラデータを記憶する。この輝度ムラデータは、スクリーンＳＣ上に実際に投射されるテスト画像の輝度の空間的分布に相当するものであり、スクリーンＳＣをビデオカメラ等で撮影することによって得られる信号レベルの下限を基準とする正の値である。なお、輝度ムラデータはＲＧＢの３色ごとに準備され、単なる明暗のトーン差に対応する輝度ムラに限らず、色ムラの分布に関する情報を含んでいる。画像処理回路３３は、輝度ムラデータの符号を変換して負の値とした輝度ムラ相殺信号を生成するとともに、この輝度ムラ相殺信号を本来の画像信号の輝度レベルに対応するデータに加算する。つまり、元の画像信号の輝度レベルを輝度ムラデータに相当するレベルだけ低減する。
【００２７】
図２は、第１プロジェクタ１０及び第２プロジェクタ２０による画像の投影を説明する図である。図２（ａ）は、第１プロジェクタ１０によってスクリーンＳＣ上に投射される主画像ＭＩを示し、図２（ｂ）は、第２プロジェクタ２０によってスクリーンＳＣ上に投射される副画像ＳＩを示し、図２（ｃ）は、両プロジェクタ１０，２０による合成画像ＣＩを示す。図２（ａ）に示す主画像ＭＩにおいて、均一な領域Ｒ１の中にわずかに明るい領域Ｒ２が存在する。また、図２（ｂ）に示す副画像ＳＩにおいて、均一な領域Ｒ１’の中にわずかに暗い領域Ｒ２’が存在する。ここで、図２（ａ）の領域Ｒ２と図２（ｂ）の領域Ｒ２’は同一の形状及び配置であるが、領域Ｒ２の周囲に対する明るさ増加分だけ領域Ｒ２’の明るさが減少しているおり、互いに反転した状態となっている。結果的に、図２（ｃ）に示す合成画像ＣＩでは、全体に亘って均一な画像が得られる。以上の説明では、輝度ムラ領域が均一な輝度を有するものとして説明したが、輝度ムラ領域が不均一な輝度を有し、或いは複数の輝度ムラ領域が不規則に散在する場合にも、これらを反転した輝度ムラ相殺信号によって図２（ｃ）に示すような均一な合成画像ＣＩを得ることができる。
【００２８】
以下、図１のプロジェクタシステム２の動作について説明する。制御装置３０は、外部からの画像信号をそのまま第１プロジェクタ１０に出力するとともに、外部からの画像信号に対して輝度ムラ相殺信号を合成した画像信号を第２プロジェクタ２０に出力する。これにより、第１プロジェクタ１０からの主画像と、第２プロジェクタ２０からの副画像とが互いに合成されてスクリーンＳＣ上に投射される。この結果、主画像の輝度ムラが副画像によって相殺され、さらに、主画像と副画像との合成によって高輝度の画像を投射することができる。
【００２９】
〔第２実施形態〕
以下、本発明の第２実施形態に係るプロジェクタシステムの構造について図面を参照しつつ説明する。
【００３０】
図３は、本実施形態のプロジェクタシステムを説明する図である。このプロジェクタシステム１０２は、主画像をスクリーンＳＣ上に投射する第１プロジェクタ１１０と、第１副画像を主画像に重ね合わせてスクリーンＳＣ上に投射する第２プロジェクタ１２０と、第２副画像を主画像に重ね合わせてスクリーンＳＣ上に投射する第３プロジェクタ１５０と、これらプロジェクタ１１０，１２０，１５０に画像信号を出力する制御装置１３０とを備える。なお、各プロジェクタ１１０，１２０，１５０によってスクリーンＳＣ上にそれぞれ投射される主画像並びに第１及び第２副画像は、互いに対応する画像となっており、これらプロジェクタ１１０，１２０，１５０の姿勢等の調整によってスクリーンＳＣ上で互いに正確にアライメントされている。
【００３１】
第１プロジェクタ１１０は、スクリーンＳＣ上に基本となる主画像を形成するためのものであり、白色の光源光を発生する照明光源である光源装置１１１と、光源装置１１１から射出された光源光によって照明される光変調装置１１３と、光変調装置１１３からの各色の像光をスクリーンＳＣに投射するための投射光学系である投射レンズ１１５と、光源装置１１１、光変調装置１１３等の動作を制御する制御回路部１１７とを備える。この第１プロジェクタ１１０は、上記第１実施形態の第１プロジェクタ１０とほぼ同一の構造を有する。
【００３２】
第２プロジェクタ１２０は、スクリーンＳＣ上に補助的な第１副画像を形成するためのものであり、Ｒ色の光源光を発生する光源装置１２１と、光源装置１２１から射出されたＲ光によって照明される光変調装置１２３と、光変調装置１２３からのＲ色の像光をスクリーンＳＣに投射するための投射レンズ１２５と、光源装置１２１、光変調装置１２３等の動作を制御する制御回路部１２７とを備える。ここで、光源装置１２１は、赤色ＬＥＤ等の固体光源、集光用のレンズ、光源光を均一化するためのフライアイ光学系等からなる。また、光変調装置１２３は、例えば液晶ライトバルブからなり、これに入射したＲ色の光源光を駆動信号に応じて２次元空間的に変調してＲ色画像を形成する。投射レンズ１２５は、光変調装置１２３の画像領域の像を主画像と副画像とが重なるような拡大率でスクリーンＳＣ上に投射する。制御回路部１２７は、制御装置１３０から受けた画像信号に基づいて光変調装置１２３を駆動するための駆動信号を生成する。
【００３３】
第３プロジェクタ１５０は、スクリーンＳＣ上に補助的な第２副画像を形成するためのものであり、Ｇ色の光源光を発生する光源装置１５１と、光源装置１５１から射出されたＧ光によって照明される光変調装置１５３と、光変調装置１５３からのＧ色の像光をスクリーンＳＣに投射するための投射レンズ１５５と、光源装置１５１、光変調装置１５３等の動作を制御する制御回路部１５７とを備える。第３プロジェクタ１５０は、上記第２プロジェクタ１２０とほぼ同一の構造を有する。つまり、光源装置１５１は、緑色ＬＥＤ等の固体光源、集光用のレンズ、光源光を均一化するためのフライアイ光学系等からなる。また、光変調装置１５３は、例えば液晶ライトバルブからなり、これに入射したＧ色の光源光を駆動信号に応じて２次元空間的に変調してG色画像を形成する。投射レンズ１５５は、光変調装置１５３の画像領域の像を主画像と副画像とが重なるような拡大率でスクリーンＳＣ上に投射する。制御回路部１５７は、制御装置１３０から受けた画像信号に基づいて光変調装置１５３を駆動するための駆動信号を生成する。
【００３４】
制御装置１３０は、第１プロジェクタ１０用の画像信号からＲ光画像の信号とＧ光画像の信号とを抽出する信号抽出部１３１を備える。信号抽出部１３１で抽出されたＲ光画像信号は、第２プロジェクタ１２０に出力され、信号抽出部１３１で抽出されたＧ光画像信号は、第３プロジェクタ１５０に出力される。つまり、第２プロジェクタ１２０によってスクリーンＳＣ上に投射される第１副画像は、第１プロジェクタ１１０による主画像のうちＲ色に関する画像となっており、スクリーンＳＣ上におけるＲ色画像の輝度を相対的に向上させることができる。一方、第３プロジェクタ１５０によってスクリーンＳＣ上に投射される第２副画像は、第１プロジェクタ１１０による主画像のうちＧ色に関する画像となっており、スクリーンＳＣ上におけるＧ色画像の輝度を相対的に向上させることができる。Ｒ色画像やＧ色画像の輝度を相対的に上昇させる程度は、光源装置１２１，１５１の輝度調整や光変調装置１２３，１５３による変調度の調節によって精密に制御することができる。
【００３５】
以下、図３に示す第２実施形態のプロジェクタシステム１０２の動作について説明する。制御装置１３０は、外部からの画像信号をそのまま第１プロジェクタ１１０に出力するとともに、外部からの画像信号からＲ光画像信号とＧ光画像信号とを抽出して、第２プロジェクタ１２０と第３プロジェクタ１５０とにそれぞれ出力する。これにより、第１プロジェクタ１１０からの主画像と、第２及び第３プロジェクタ１２０，１５０からの第１及び第２副画像とが互いに合成されてスクリーンＳＣ上に投射される。この結果、主画像のＲ光やＧ光に関する輝度不足が第１及び第２副画像によって相殺され、さらに、主画像と第１及び第２副画像との合成によって高輝度の画像を投射することができる。
【００３６】
なお、以上の第２実施形態では、第２及び第３プロジェクタ１２０，１５０を設けてＲ光やＧ光に関する輝度不足を補っているが、第４のプロジェクタを設けてＢ光の輝度不足を補うこともできる。この場合、第２〜第４プロジェクタに、第１実施形態の場合と同様の手法で、各色についての輝度ムラ補正を個別に行わせることもできる。
【００３７】
〔第３実施形態〕
以下、本発明の第３実施形態に係るプロジェクタシステムの構造について図面を参照しつつ説明する。
【００３８】
図４は、本実施形態のプロジェクタシステムを説明する図である。このプロジェクタシステム２０２は、主画像をスクリーンＳＣ上に投射する第１プロジェクタ２１０と、副画像を主画像に重ね合わせてスクリーンＳＣ上に投射する第２プロジェクタ２２０と、両プロジェクタ２１０，２２０に画像信号を出力する制御手段である制御装置２３０とを備える。なお、両プロジェクタ２１０，２２０によってスクリーンＳＣ上にそれぞれ投射される主画像及び副画像は、互いに対応する画像となっており、これらプロジェクタ２１０，２２０の姿勢等の調整によってスクリーンＳＣ上で互いに正確にアライメントされている。
【００３９】
第１プロジェクタ２１０は、スクリーンＳＣ上に基本となる主画像を形成するためのものであり、高圧水銀ランプ等からなり白色の光源光を発生する光源装置２１１と、光源装置２１１から射出された光源光によって照明される光変調装置２１３と、光変調装置２１３からの各色の像光をスクリーンＳＣに投射するための投射光学系である投射レンズ２１５と、光源装置２１１、光変調装置２１３等の動作を制御する制御回路部２１７とを備える。この第１プロジェクタ２１０は、図１に示す第１実施形態の第１プロジェクタ１０とほぼ同一の構造を有する。
【００４０】
第２プロジェクタ２２０は、スクリーンＳＣ上に補助的な副画像を形成するためのものであり、例えばシアン色の光源光を発生する光源装置２２１と、光源装置２２１から射出されたシアン色光によって照明される光変調装置２２３と、光変調装置２２３からのシアン色の像光をスクリーンＳＣに投射するための投射レンズ２２５と、光源装置２２１、光変調装置２２３等の動作を制御する制御回路部２２７とを備える。ここで、光源装置２２１は、緑青色ＬＥＤ等の固体光源、集光用のレンズ、光源光を均一化するためのフライアイ光学系等からなる。また、光変調装置２２３は、例えば液晶ライトバルブからなり、これに入射したシアン色の光源光を駆動信号に応じて２次元空間的に変調してシアン色画像を形成する。投射レンズ２２５は、光変調装置２２３の画像領域の像を主画像と副画像とが重なるような拡大率でスクリーンＳＣ上に投射する。制御回路部２２７は、制御装置２３０から受けた画像信号に基づいて光変調装置２２３を駆動するための駆動信号を生成する。
【００４１】
制御装置２３０は、外部から入力された画像信号から、第１プロジェクタ２１０用の第１画像信号と、第２プロジェクタ２２０用の第２画像信号とを生成する。前者の第１画像信号はＲＧＢの３原色に対応する３画像の信号となっており、後者の第２画像信号は補助色（中間色）であるシアン色の画像の信号となっている。つまり、外部から入力されたカラー画像信号から第１プロジェクタ２１０用の３原色信号と、第２プロジェクタ２２０用の中間色の信号とが生成され、スクリーンＳＣ上に４色のカラー画像が投射される。
【００４２】
図５は、第３実施形態のプロジェクタシステム２０２による色再現範囲を説明するグラフである。グラフ中において、実線ＳＬに囲まれた三角領域は、第１プロジェクタ２１０すなわち主画像の色再現範囲を示す。第２プロジェクタ２２０を用いてシアン色（一例として、λ＝４９０ｎｍ）の副画像を補助的に投射した場合、点線Ｌ１で囲まれた領域だけ色再現範囲が広がる。なお、第２プロジェクタ２２０は、アンバー色（一例として、λ＝６００ｎｍ）の副画像を補助的に投射するものとすることができる。この場合、一点鎖線Ｌ２で囲まれた領域だけ色再現範囲が広がる。さらに、第２プロジェクタ２２０とは異なる第３プロジェクタをさらに設けて、第２の中間色の副画像を投射することもできる。この場合、複数の中間色によってさらに色再現範囲が広がる。なお、副画像に使用する中間色は上記の波長の色光に限定されるものではない。
【００４３】
図６は、第３実施形態のプロジェクタシステム２０２の変形例を説明する図である。この場合、第１プロジェクタ２１０の光源装置２１１を構成する高圧水銀ランプに代えてＲＧＢの３色を組み合わせたＬＥＤ光源を利用する。図６のグラフにおいて、実線ＳＬに囲まれた三角領域は、変形例の第１プロジェクタ２１０の色再現範囲を示しており、高圧水銀ランプの場合の色再現範囲よりも広くなっている。この場合において、第２プロジェクタ２２０を用いてシアン色の副画像を補助的に投射した場合、点線Ｌ１で囲まれた領域だけ色再現範囲が広がる。また、第２プロジェクタ２２０を用いてアンバー色の副画像を補助的に投射した場合、一点鎖線Ｌ２で囲まれた領域だけ色再現範囲が広がる。
【００４４】
以下、図４に示す第３実施形態のプロジェクタシステム２０２の動作について説明する。制御装置２３０は、外部からの画像信号を適宜処理して主画像用の第１画像信号と、副画像用の第２画像信号とを生成する。この場合、副画像用の第２画像信号は、第１プロジェクタ２１０による主画像で出力できる色再現範囲を基に、それを超える分について第２プロジェクタ２２０の光源色に応じて予測するなどして生成する。これら第１及び第２画像信号は、第１プロジェクタ２１０と第２プロジェクタ２２０とにそれぞれ出力される。これにより、第１プロジェクタ２１０からの主画像と、第２プロジェクタ２２０からの副画像とが互いに合成されてスクリーンＳＣ上に投射される。この結果、豊かな色彩表現を達成することができる。さらに、第１プロジェクタ２１０によって投射された主画像に対し第２プロジェクタ２２０によって副画像を重ね合わせて投射するので、主画像と副画像との加算によって高輝度の画像を投射することができる。
【００４５】
以上、実施形態に即して本発明を説明したが、本発明は上記実施形態に限定されるものではない。例えば上記第１〜第３実施形態では、各プロジェクタ１０，２０，１１０，１２０，１５０，２１０，２２０を正面から投射するタイプのプロジェクタとしているが、これらを背面投射型のプロジェクタとすることもできる。また、上記実施形態では、主画像やカラーの副画像を投射するプロジェクタは白色光源とカラータイプの液晶ライトバルブとからなる構成としているが、これを白色光源と白色光を３原色光に分離する分離光学系と３原色光をそれぞれ変調する３枚の液晶ライトバルブとからなるいわゆる３板式のプロジェクタとしてもよい。さらに、所定の単色の副画像を投射するプロジェクタの光源は、固体光源でなくて白色光源と所定の波長の光を分離する分離光学系との組み合わせであってもよい。そして、光変調装置は反射型のものであってもよい。
【図面の簡単な説明】
【００４６】
【図１】第１実施形態のプロジェクタシステムを説明する図である。
【図２】（ａ）〜（ｃ）は、一対のプロジェクタによる投影像を説明する図である。
【図３】第２実施形態のプロジェクタシステムを説明する図である。
【図４】第３実施形態のプロジェクタシステムを説明する図である。
【図５】図４のプロジェクタシステムによる色再現範囲を説明するグラフである。
【図６】第３実施形態のプロジェクタシステムの変形例を説明する図である。
【符号の説明】
【００４７】
１０…第１プロジェクタ、  １１…光源装置、  １３…光変調装置、  １５…投射レンズ、  １７…制御回路部、  ２０…第２プロジェクタ、  ２１…光源装置、  ２３…光変調装置、  ２５…投射レンズ、  ２７…制御回路部、  ３０…制御装置、  ３１…メモリ、  ３３…画像処理回路、  ＭＩ…主画像、  ＳＣ…スクリーン、  ＳＩ…副画像
【図１】
2005167680.tif 000003
【図２】
2005167680.tif 000004
【図３】
2005167680.tif 000005
【図４】
2005167680.tif 000006
【図５】
2005167680.tif 000007
【図６】
2005167680.tif 000008